(57)【要約】  本発明は、照明して広告ポスターを表示する際に使われる広告ディスプレイに関する。前記広告ディスプレイは、保護本体外形(1)、カバー外形(2)、そのようなポスターが取り付けられる白色の背景材料(4)、および、前記ポスターに配置される透明なプロテクタ(5)を含み、さらに、そのようなポスターを容易に取り付け/交換し、前記透明なプロテクタ(5)の損傷を防ぐため、透明なプロテクタ(5)を保持する少なくとも一つのヒンジ外形；ポスターが取り付けられた後、本体外形(1)に透明なプロテクタ(5)の移動する端を固定する、少なくとも一つの磁石の外形および少なくとも一つの磁気テープ；および、背景(4)および透明なプロテクタ(5)間でポスターを保持する多数のクリップ；を含む。【選択図】図３ａ
2009516867.tif 000002
【特許請求の範囲】
【請求項１】
少なくとも一つの保護用本体外形（1）、および、その端によって該本体外形（1）を囲む少なくとも一つのカバー外形(2)；その上にポスター(12)が該本体外形(1)において取り付けられる少なくとも一つの白色の背景要素(4)；および、該ポスター(12)上に配置される少なくとも一つの透明なプロテクタ(5)を含む広告ディスプレイであって、
2人の代わりに、1人の人間のみでそのようなポスター(12)を交換することを可能にし、前記透明なプロテクタ(5)の損傷を防ぐために、前記本体外形（1）に開けられるチャネルに配置され、該透明なプロテクタ（5）を保持する少なくとも一つのヒンジ外形(9)を含み；
2つの側面により接着し、前記透明なプロテクタ(5)を前記ヒンジ外形(9)に固定するため、該透明なプロテクタ(5)に接触する該ヒンジ外形(9)の（接触）表面上に固定される少なくとも一つの両面接着帯(7)を含むということにおいて特徴付けられる広告ディスプレイ。
【請求項２】
前記本体外形(1)に開けられる前記チャネルに配置される少なくとも一つの磁石の外形(10)が含まれるということにおいて特徴付けられる請求項1に記載の広告ディスプレイ。
【請求項３】
磁石の牽引特性を有し、前記磁石の外形(10)に面している前記透明なプロテクタ(5)の端に対応する場所で該磁石の外形(10)に固定される少なくとも一つの磁気テープ(11)を含むということにおいて特徴付けられる請求項１または２のいずれかに記載の広告ディスプレイ。
【請求項４】
前記透明なプロテクタ(5)の端に固定され、前記磁気テープ(11)に接着される少なくとも一つの電気シート(8)を含むということにおいて特徴付けられる請求項１から３のいずれかに記載の広告ディスプレイ。
【請求項５】
前記磁気テープ(11)を前記磁石の外形(10)に固定するため、その側面の両方から接着性を有する少なくとも一つの両面粘着テープ(7)を含むということにおいて特徴付けられる請求項１から４のいずれかに記載の広告ディスプレイ。
【請求項６】
前記電気シート(8)を前記透明なプロテクタ(5)に固定するため、その側面の両方から接着性を有する少なくとも一つの両面粘着テープ(7)を含むということにおいて特徴付けられる請求項１から５のいずれかに記載の広告ディスプレイ。
【請求項７】
少なくとも一つの保護用本体外形（1）、およびその端によって該本体外形（1）を囲む少なくとも一つのカバー外形(2)；その上にポスター(12)が該本体外形(1)において取り付けられる少なくとも一つの白色の背景要素(4)；および、前記ポスター(12)に配置される少なくとも一つの透明なプロテクタ(5)を含む広告ディスプレイであって、
前記ポスター（12）の厚みよりわずかに小さい固定溝を有し、前記本体外形（1）上の所望の点に固定され、前記本体外形（1）に組み立てられた場合に該ポスター(12)が滑るのを防ぐため、前記白色の背景要素(4)および前記透明なプロテクタ(5)間でポスター押すまたは挟む多数のクリップ(6)を含むということにおいて特徴付けられる広告ディスプレイ。
【請求項８】
前記クリップ(6)によって挟まれる前記表面上に爪型で少なくとも一つのクリップ・ストッパー（6.1）を含むということにおいて特徴付けられる請求項７に記載の広告ディスプレイ。
【請求項９】
前記クリップ(6)を前記本体外形(1)に固定するために、少なくとも一つのクリップ・ネジ（6.2）を含むことにおいて特徴付けられる請求項７または８に記載の広告ディスプレイ。
【請求項１０】
前記ディスプレイのポスター取付けおよび透明なプロテクタ(5)取付け要素を隠すように前記カバー外形(2)が形成されるということにおいて特徴付けられる請求項１から９のいずれかに記載の広告ディスプレイ。
【請求項１１】
前記カバー外形(2)に余分な保持力を提供するため、前記透明なプロテクタ(5)が前記ディスプレイの前記本体外形（1）に固定されるところで、前記カバー外形(2)の内側がその端に沿って切欠きを有して形成されるということにおいて特徴付けられる請求項１から１０のいずれかに記載の広告ディスプレイ。
【請求項１２】
前記カバー(2)が前記本体外形（1）に固定されるところで前記内側の溝に置かれる多数のバネ(3)が提供されるということにおいて特徴付けられる請求項１から１１のいずれかに記載の広告ディスプレイ。
【発明の詳細な説明】
【技術分野】
【０００１】
本発明は、広告ポスターを表示する広告ディスプレイに関する。本発明は特に、照明された両面からのそのようなポスターの展示に関連し、さらに、このように展示された広告ポスターを変えるまたは交換する際にユーザに容易さを提供することに関連する。
【背景技術】
【０００２】
広告ポスターを表示するための広告ディスプレイの様々な実施態様が実現されてきた。そのようなディスプレイは、異なる構造および目的で導入されてきた。この種のディスプレイは概して、本体を有する特定の形状において構成され、例えば、片面または両面である、または、円形であるといったこの本体の構造次第で、透明な保護用カバーが片側に使用され、その透明カバーの下に広告ポスターが配置される。そのような本体の表面に固定されるポスター上に、前記透明な保護用カバーが固定される。これらの製品に関しての最大の欠点は、そこにすでに固定された広告ポスターを１人で交換または変えることがほとんどできないことである。この種の製品において、ポスターが交換される一方で、ポスターを保護している透明な保護用材料は、製品から完全に取り除かれなければならない。したがって、この材料がこすれるまたは変形してしまう可能性が非常に高い。ポスターが後ろの表面に配置される場合、１人の人がポスターを保ち、一方で、もう１人の人により、プロテクタが保持され、組み立てられなければならない。
【発明の開示】
【０００３】
関連した技術の前述の欠点に関し、本発明の目的は、広告ディスプレイに主題の改良を導入することによってそのような欠点を取り除くことである。
【０００４】
本発明の他の目的は、1人の人間のみでそのような広告ポスターの交換を可能にすることである。この機能のおかげで、ポスター交換作業に必要な時間、および、この作業に関係する人の両方を削減させることができる。
【０００５】
本発明のさらなる目的は、広告ポスターをディスプレイに取り付ける際の容易さを提供し、適時にポスターの下方への滑りを防ぐことである。この特徴のおかげで、ポスターに結局発生するあらゆる滑りは避けられる。前記目的を達成するために、少なくとも一つの保護用本体、および、その端で前記本体を囲む少なくとも一つのカバー外形；その上にポスターが前記本体において取り付けられる少なくとも一つの白色の背景要素；および、前記ポスターに配置される少なくとも一つの透明なプロテクタを含む、広告ディスプレイに改良が実行されてきた。
【０００６】
本発明の実施態様では、2人の代わりに1人の人間のみでポスターを交換することを可能にし、透明なプロテクションが傷つくのを防ぐために、前記本体外形に開けられるチャネルに配置され、透明なプロテクタを保持する少なくとも一つのヒンジ外形が実現する。この特徴のおかげで、1人の人間のみによりポスターを交換することが可能になる。したがって、ディスプレイ要素は、それらがもうディスプレイから取り除かれないので、あらゆる外側の要因から安全に保たれる。
【０００７】
本発明の他の好ましい実施態様において、透明なプロテクタを前記ヒンジ外形に固定するため、その2つの側面に接着し、透明なプロテクタに接触する前記ヒンジ外形の（接触）表面上に固定される少なくとも一つの両面接着帯が実現する。
【０００８】
さらに本発明の他の実施態様において、ポスターが取り付けられた後、本体外形に前記透明なプロテクタの他の開放/閉鎖端部を固定するために、前記本体外形に開けられるチャネルに配置される少なくとも一つの磁石の外形が作成される。
【０００９】
さらに他の本発明の実施態様において、磁石の外形と透明なプロテクタの間の相互保持を提供するために、磁力特性を有し、磁石の外形に面する透明なプロテクタの端に対応する点上の磁石の外形に固定される少なくとも一つの磁気テープが形成される。この特徴のおかげで、透明なプロテクタは、ディスプレイが閉じられる場合に固定され、前者の曲がり、垂下等のようなあらゆる変形が妨げられる。
【００１０】
さらなる本発明の好ましい実施態様において、前記磁石の外形と透明なプロテクタの間の相互保持を提供するために、前記透明なプロテクタの端に固定され、前記磁気テープに接着される少なくとも一つの電気シートが形成される。
【００１１】
なおさらに本発明の好ましい実施態様において、前記磁気テープを磁石の外形に固定するために、その側面の両方からの付着性を有する少なくとも一つの両面粘着テープが形成される。
【００１２】
またさらに本発明の好ましい実施態様において、前記電気シートを透明なプロテクタに固定するため、その側面の両方によって付着性を有する、少なくとも一つの両面粘着テープが形成される。
【００１３】
他の本発明の好ましい実施態様において、本体外形に組み立てられる場合に、前記ポスターが滑り落ちるのを防ぐため、ポスターの厚みよりわずかに小さい固定溝を有し、前記本体外形上の所望の位置に固定され、前記白色の背景要素と透明なプロテクタの間でポスターに押されるまたは固定される、多数のクリップが含まれる。この特徴のおかげで、それが固定される場合、やがて発生するポスターのあらゆる移動は避けられ、保持、制御、修正等のような他の時間のかかる施工は避けられる。
【００１４】
また他の本発明の好ましい実施態様において、前記ポスターが滑り落ちる、または、前記クリップの間／から外に移動するのを防ぎ、それに対して追加的な圧力を提供するために、該クリップによって挟まれるまたは押される表面上に、爪形状を有する少なくとも一つのクリップ・ストッパーが形成される。
【００１５】
なお他の本発明の好ましい実施態様において、前記クリップを本体外形に固定するために、少なくとも一つのクリップ・ネジが含まれる。
【００１６】
またさらなる本発明の好ましい実施態様において、ディスプレイにおけるポスター取付け要素および透明なプロテクタ取付け要素を隠すように、前記カバー外形は形成される。
【００１７】
なおさらに本発明の好ましい実施態様において、カバー外形の内側は、透明なプロテクタがディスプレイの本体外形に固定されるところで前記カバー外形に余分な保持力を提供するために、端に沿って切欠きが形成される。
【００１８】
本発明の好ましい実施態様では、制限された円形の運動を前記カバーに提供し、あらゆる抑制できないその揺動を避けるために、前記カバーが本体外形に固定されるところで内側の溝に置かれる多数のバネが提供される。
【発明の詳細な説明】
【００１９】
図で示す本発明の実施態様は、異なる外観および構造を有する広告ディスプレイである。主題の広告ディスプレイは取り外し可能であり、2つの側面の本体外形(1)を上下のトレイ(13)と結合することによって構成される主な構造を有する。トレイ(13)と本体外形(1)を結合することにより提供されるシステムは、図2aおよび2bにおいて示される。白色の背景材料(4)は、好ましくは、カバー外形(2)上のチャネルに係合されることによって、図3aにおいて図示される本体外形（1）上に取り付けられる。白色の背景材料(4)の下部および上部の結合点から光が発するのを防ぎ、それを下部および上部の台により適するようにするために、好ましくはポリスチレンまたは硬いプラスチックでできている遮光層（13.1）が、下部および上部のトレイに固着される。遮光層（13.1）は、内側の光を分離し、照明背景および表示要素のための機械の支持体に光を提供する。
【００２０】
本体外形(1)に開けられるチャネルに配置されたヒンジ外形(9)、および、透明なプロテクタの保持のおかげで、図4bに図示するように、2人の代わりに1人の人間のみによってポスター(12)を交換することが可能になり、透明なプロテクタ(5)上のあらゆる損傷は避けられる。その側面の両方により接着し、透明なプロテクタ(5)と接触する前記ヒンジ外形(9)の表面上に固定される両面接着帯(7)のおかげで、透明なプロテクタ(5)は、前記ヒンジ外形(9)に固定される。
【００２１】
図4aで図示したように、本体外形(1)に開けられるチャネルに配置される磁石の外形(10)のおかげで、ポスター(12)が取り付けられた後、透明なプロテクタの他の開放/閉鎖端部は本体外形（1）に固定される。磁石の外形(10)に面する透明なプロテクタ(5)の端で磁石の外形(10)に固定される磁石の牽引特徴を有する磁気テープ（11）のおかげで、保持力が磁石の外形(10)と透明なプロテクタ(5)の間で提供される。透明なプロテクタ(5)の端に固定され、磁気テープ（11）に接着した電気シート(8)によって、保持力が磁石の外形および透明なプロテクタ(5)の間で提供される。電気シート(8)は好ましくは、縞状の形である。その側面の両方により接着する両面粘着テープ(7)によって、磁気テープ(11)は磁石の外形(10)に固定される。その側面の両方により接着する両面粘着テープ(7)によって、電気シート(8)は透明なプロテクタ(5)に固定される。図3aは、ヒンジおよび磁石の取付けの実施態様の異なる図を提供する。代表的な実施態様において、図5a、5bおよび5cはそれぞれ、透明なプロテクタ(5)の開閉段階およびカバー外形(2)を示す。透明なプロテクタ(5)は、ヒンジ連結によってその端の1つから本体外形(1)に固定される。この固定は、両面粘着テープ(7)によって、好ましくはPVCからプロテクタ(5)に作成されるヒンジ外形(9)の接着によって提供される。ヒンジ外形(9)は好ましくは、60°回転することができる（図5a、5b、5cにおいて図示される位置）。図5bにおいて、ヒンジ実施態様の開位置と閉位置、カバー外形(2)の最大移動領域、および、透明なプロテクタ(5)および磁石の外形(10)の移動方向が図示される。
【００２２】
透明なプロテクタ(5)の他の端は、磁気テープ（11）と共に他の側面フレームに結合される。電気シート(8)は、好ましくは両面粘着テープ(7)によって、この透明なプロテクタ(5)の端に接着される。電気シート(11)は、好ましくは両面粘着テープ(7)によって、この透明なプロテクタ(10)の端に接着される。透明なプロテクタ(5)および本体外形（1）は、前記磁気テープ(11)のおかげで容易に結合されることができる。本体外形(1)を有する磁石の外形(10)の結合点は、透明なプロテクタ(5)の位置決めに関して傾斜される。ポスター(12)が適切に取り付けられた後、透明なプロテクタ(5)は閉じられる。透明なプロテクタ(5)が閉じられた後、カバー外形（2）も閉じられて、ディスプレイが準備できる。
【００２３】
透明なプロテクタ(5)は、ヒンジ外形(9)によって本体外形(1)に固定される。それらの側枠上に存在し、バネシステムによってフレームに組み立てられるカバー外形が開けられる場合、ポスターを保護する透明なプロテクタ材料(5)は、ドアのように開いた位置になる。透明なプロテクタ(5)の一端はヒンジ外形(9)によって本体外形(1)に固定され、他端は、磁気テープ(11)（図3a参照）によって固定される。ユーザがポスター(12)を取り付けるのを可能にするため、ユーザは、透明なプロテクタの磁気テープ（11）側面上に配置され、好ましくはその開放を容易にするために作成されるホルダによってドアのようにプロテクタを引く。
【００２４】
図3b、3cおよび3dにて図示したように、それが本体外形(1)に組み立てられる場合、容易にそのようなポスターを取り付け、そのポスター(12)が滑るのを防ぐために、ポスター（12）の厚みよりわずかに小さい固定溝を有する多数のクリップ(6)が提供され、前記本体外形（1）上の所望の点に固定され、前記白色の背景要素(4)と透明なプロテクタ(5)の間でポスターを押すまたは固定する。そのようなクリップ(6)によってはさまれる表面に沿った多数の爪型のクリップ・ストッパー（6.1）のおかげで、ポスターはクリップ(6)間からの滑りや、クリップ(6)からの移動を防ぐことができ、したがって追加的な押圧力が提供される。クリップ・ネジ（6.2）は、クリップ(6)を本体外形（1）に固定する。図6aおよび6bにて図示したように、ポスターを交換または取り付けるために、アルミニウムのカバー外形（2）は、開けられる。ポスター(12)は、上部の角からクリップ(6)に固定される。クリップ(6)のストッパー（6.1）はポスター(12)が落下するのを防ぐが、それが横方向に取り除かれるのを可能にする。ユーザがポスター(12)をクリップに取り付けた後、ポスターをそのままにすることによって、他の作業が継続できる。クリップ（6）は、本体外形(1)上の左右上部の角上にクリップ・ネジ（6.2）によって固定される。図6cにて図示したように、ポスターは、前記クリップ(6)によって下方および上方に固定され、一方で、取り付けられるまたは交換される場合にのみ、それは、横方向、すなわち左右方向にのみ移動可能である。
【００２５】
容易にポスター(12)をディスプレイの本体外形(1)に取り付けるために、多数のクリップ(6)が、その上部の角からポスター(12)を保持するため、好ましくは本体外形（1）の上部に提供される。ユーザは、図示された方向にポスター(12)をランダムな方法でこれらのクリップ(6)に取り付けることができる。クリップ（6）は単一の方向にポスターを保持し、整然と反対方向にそれを開放する。これらのクリップ(6)のおかげで、ポスター(12)は、容易にディスプレイに取り付けられることができ、透明なプロテクタ(5)を閉じるための都合のよい機会をユーザに提供する。ヒンジ外形(9)によって本体外形(1)に取り付けられる透明なプロテクタ(5)は、ポスター(12)上でドアのように容易に閉じることができる。透明なプロテクタ(5)の開いた端に提供される電気シート・テープ(8)のいくつかの点をディスプレイの他の側面の外形上に提供される磁気テープ（11）に接触させるのは、ポスター(12)上の透明なプロテクタ(5)を閉じるのに十分である。同じサイズの磁気テープ（11）は好ましくは、電気シート(8)の反対側に垂直に提供される。
【００２６】
図3aにて図示したようにカバー外形(2)ディスプレイは、ポスター(12)留め具（図6a、6b）および透明なプロテクタ(5)留め具要素を隠すように形成される。カバー外形(2)の内側に提供される切欠きは、透明なプロテクタ(5)がディスプレイの本体外形(1)に固定される端によって余分な保持力を提供する。カバー外形(2)が本体外形（1）に固定される内側の溝において提供される多数のバネ(3)のおかげで、カバー外形(2)に限られた円形運動が提供され、そのあらゆる無制御の揺動は避けられる。
【００２７】
標準的なポスター・サイズのためのこのような広告ディスプレイは、図1a、1b、1c、1d、1e、1f、1gにて図示したように、様々な設計を有し、水平または垂直に好ましくは製造されることができる。ディスプレイが水平に使用される場合、それは、好ましくはロープまたは類似した要素によって天井に、また、金属のような材料により壁に固定されることができる。
【００２８】
本発明は、前述の見本の実施態様によって制限されない。請求項に記載の保護的な範囲の必須の特徴に基づいて、当業者により実行されるあらゆる別の実施態様は本発明の侵害行為であるとみなされる。
【図面の簡単な説明】
【００２９】
【図１ａ】本発明の代表的な実施態様における主題の広告ディスプレイの斜視図を提供する。
【図１ｂ】本発明の代表的な実施態様におけるカバーが開位置にある主題の広告ディスプレイの断面斜視図を提供する。
【図１ｃ】本発明の代表的な実施態様における他の広告ディスプレイの正面図を提供する。
【図１ｄ】本発明の代表的な実施態様における他の広告ディスプレイの正面図を提供する。
【図１ｅ】本発明の代表的な実施態様における他の広告ディスプレイの正面図を提供する。
【図１ｆ】本発明の代表的な実施態様における他の広告ディスプレイの正面図を提供する。
【図１ｇ】本発明の代表的な実施態様における他の広告ディスプレイの正面図を提供する。
【図２ａ】本発明の代表的な実施態様における広告ディスプレイの上部トレイの斜視図を提供する。
【図２ｂ】本発明の代表的な実施態様における下部および上部トレイ、および、本体外形の正面図を提供する。
【図３ａ】本発明の代表的な実施態様における広告ディスプレイの内側の断面上面図を提供する。
【図３ｂ】本発明の代表的な実施態様における広告ディスプレイのクリップ部分の部分断面斜視図を提供する。
【図３ｃ】本発明の代表的な実施態様における広告ディスプレイのクリップ部分の断面斜視図を提供する。
【図３ｄ】本発明の代表的な実施態様における広告ディスプレイのクリップ部分の断面上面図を提供する。
【図４ａ】本発明の代表的な実施態様における広告ディスプレイの透明プロテクタの磁石連結の部分断面上面図を提供する。
【図４ｂ】本発明の代表的な実施態様における広告ディスプレイの透明なプロテクタのヒンジ連結の部分断面上面図を提供する。
【図５ａ】本発明の代表的な実施態様における主題の広告ディスプレイの透明なプロテクタが磁石システムによって機能する部分断面上面図を提供する。
【図５ｂ】本発明の代表的な実施態様における主題の広告ディスプレイの透明なプロテクタが磁石およびヒンジ・システムで機能する部分断面上面図を提供する。
【図５ｃ】本発明の代表的な実施態様における広告ディスプレイのカバー外形が作動モードにある部分断面上面図を提供する。
【図５ｄ】本発明の代表的な実施態様におけるディスプレイへの透明なプロテクタの固定方向の上面図を提供する。
【図６ａ】本発明の代表的な実施態様におけるポスターが広告ディスプレイ・クリップに取り付けられ、固定される概略側面図を提供する。
【図６ｂ】本発明の代表的な実施態様におけるポスターが広告ディスプレイ・クリップに取り付けられ、固定される概略側面図を提供する。
【図６ｃ】本発明の代表的な実施態様におけるポスターが広告ディスプレイ・クリップに取り付けられ、固定される概略正面図を提供する。
【符号の説明】
【００３０】
1    本体外形
2    カバー外形
3    カバー（スチール）バネ
4    白色の背景要素
5    透明なプロテクタ
6    クリップ
6.1  クリップ・ストッパー
6.2  クリップ・ネジ
7    両面テープ
8    電気シート
9    ヒンジ外形
10   磁石の外形
11   磁気テープ
12   ポスター
13   上部-下部トレイ
13.1 遮光層
【図１ａ】
2009516867.tif 000003
【図１ｂ】
2009516867.tif 000004
【図１ｃ】
2009516867.tif 000005
【図１ｄ】
2009516867.tif 000006
【図１ｅ】
2009516867.tif 000007
【図１ｆ】
2009516867.tif 000008
【図１ｇ】
2009516867.tif 000009
【図２ａ】
2009516867.tif 000010
【図２ｂ】
2009516867.tif 000011
【図３ａ】
2009516867.tif 000012
【図３ｂ】
2009516867.tif 000013
【図３ｃ】
2009516867.tif 000014
【図３ｄ】
2009516867.tif 000015
【図４ａ】
2009516867.tif 000016
【図４ｂ】
2009516867.tif 000017
【図５ａ】
2009516867.tif 000018
【図５ｂ】
2009516867.tif 000019
【図５ｃ】
2009516867.tif 000020
【図５ｄ】
2009516867.tif 000021
【図６ａ】
2009516867.tif 000022
【図６ｂ】
2009516867.tif 000023
【図６ｃ】
2009516867.tif 000024
【国際調査報告】
2009516867.tif 000025
2009516867.tif 000026
2009516867.tif 000027
2009516867.tif 000028
2009516867.tif 000029